(57)【特許請求の範囲】
【請求項１】
走行機体の後方に設けられ、湛水田に粒体を直播する湛水直播装置であって、
前記粒体を収容する複数の収容部と、
複数の前記収容部の夫々に設けられ、前記粒体を繰り出す繰り出し部材と、
前記繰り出し部材に連通しており、前記粒体を搬送する搬送管と、
前記搬送管に連通しており、前記湛水田に前記粒体を直播する直播管と、を少なくとも有し、
前記直播管は、前記走行機体に直に固定される第１の直播管と、前記走行機体に対し着脱可能な平板部材に固定される第２の直播管と、からなり、
前記走行機体に対し着脱可能な前記平板を、前記走行機体から前記平板を取り外した第１の状態と、前記走行機体に前記平板を取り付けた第２の状態と、に切り換え可能であること、
を特徴とする湛水直播装置。
【請求項２】
前記第２の状態では、複数の前記収容部の夫々に前記粒体である種子又は肥料の何れか一方が収容され、前記第１の直播管に種子又は肥料の何れか一方が送り込まれるとともに、前記第２の直播管に種子又は肥料の何れか他方が送り込まれること、
を特徴とする請求項１記載の湛水直播装置。
【請求項３】
前記第１の直播管及び第２の直播管は、前記搬送管の管下流側に連通して着脱可能に設けられ、前記第１の直播管及び第２の直播管を前記搬送管から取り外して、前記第１の状態及び前記第２の状態の何れかに切り換え可能であること、
を特徴とする請求項１または２記載の湛水直播装置。
【請求項４】
前記搬送管は、前記繰り出し部材に着脱可能に設けられ、前記搬送管を前記繰り出し部材から取り外して、前記第１の状態及び前記第２の状態の何れかに切り換え可能であること、
を特徴とする請求項１または２記載の湛水直播装置。
【発明の詳細な説明】
【技術分野】
【０００１】
本発明は、湛水田に粒体を直播する複数の直播管を備えた湛水直播装置に関する。
【背景技術】
【０００２】
従来、湛水直播装置は、粒体を空気搬送により湛水田に直播することで、作業の省力化、低コスト化などを向上させることが可能なものが知られている。また、作業の省力化を図るために、作業中の工程である播種と施肥とを同時に行うことが可能なものが知られている。
【０００３】
粒体を空気搬送により湛水田に直播するものとして、例えば、特許文献１には、種子収納ホッパーに収容された種子を繰り出しロールにより送風管に繰り出し、送風管及びこの送風管に連通して配置された種子播き管に送風機から風を送ることで、種子播き管から湛水田に種子を直播する帯状湛水直播装置に関する技術が開示されている。
【０００４】
また、播種と施肥とを同時に行うことが可能なものとして、例えば、特許文献２には、タンク本体内に中仕切板を入れ、種子タンクと肥料タンクとをタンク本体内で区切って装設することで、播種及び施肥を同時に行うことが可能な施肥播種機における肥料および種子のタンク装置に関する技術が開示されている。
【先行技術文献】
【特許文献】
【０００５】
【特許文献１】特開平１０−５６８２４号公報
【特許文献２】特開昭５６−０７２６０２号公報
【発明の概要】
【発明が解決しようとする課題】
【０００６】
しかしながら、上記特許文献１に記載の装置は、走行機体の幅方向に沿って種子播き管が配置されており、種子播きの作業幅を広げることを可能としているが、播種と施肥とを同時に行えるものではないという技術的課題がある。
【０００７】
また、上記特許文献２は、一つのタンク本体に二つの送出し樋（以下、繰り出し部材という。）を設け、タンク本体内を区切って種子タンクと肥料タンクとを区分けしたものであるが、仮に、播種又は施肥の何れか一方を選択して直播する場合、一方の繰り出し部材を停止させるか、タンク内を空にして繰り出し部材を空周りさせる必要があるため、作業効率が低下してしまうという技術的課題がある。
【０００８】
本発明の目的は、上記従来の実状を鑑みて、播種の作業幅を広げることと、播種と施肥とを同時に行うこととを、切り換え可能にすることで、作業効率を向上させることが可能な湛水直播装置を提供することにある。
【課題を解決するための手段】
【０００９】
上記課題を解決するために、本発明に係る湛水直播装置は、走行機体の後方に設けられ、湛水田に粒体を直播する湛水直播装置であって、上記粒体を収容する複数の収容部と、複数の上記収容部の夫々に設けられ、上記粒体を繰り出す繰り出し部材と、上記繰り出し部材に連通しており、上記粒体を搬送する搬送管と、上記搬送管に連通しており、上記湛水田に上記粒体を直播する直播管と、を少なくとも有し、上記直播管は、上記走行機体に直に固定される第１の直播管と、上記走行機体に対し着脱可能な平板部材に固定される第２の直播管と、からなり、上記走行機体に対し着脱可能な上記平板を、上記走行機体から上記平板を取り外した第１の状態と、上記走行機体に上記平板を取り付けた第２の状態と、に切り換え可能に構成されている。
【発明の効果】
【００１０】
本発明によれば、播種の作業幅を広げることと、播種と施肥とを同時に行うこととを、切り換え可能にすることで、作業効率を向上させることが可能な湛水直播装置を提供するができる。
【図面の簡単な説明】
【００１１】
【図１Ａ】本発明の一実施の形態である湛水直播装置の第１の状態の構成を左側方から模式的に示す側面図である。
【図１Ｂ】本発明の一実施の形態である湛水直播装置の第１の状態の構成を後方から模式的に示す背面図である。
【図１Ｃ】本発明の一実施の形態である湛水直播装置の搬送管及び直播管の第１の状態の構成について拡大した状態を模式的に示す斜視図である。
【図２Ａ】本発明の一実施の形態である湛水直播装置の第２の状態の構成を左側方から模式的に示す側面図である。
【図２Ｂ】本発明の一実施の形態である湛水直播装置の第２の状態の構成を後方から模式的に示す後方側面図である。
【図２Ｃ】本発明の一実施の形態である湛水直播装置の搬送管及び直播管の第１の状態の構成について拡大して状態を模式的に示す斜視図である。
【発明を実施するための形態】
【００１２】
以下、図面を参照しながら、本発明の実施の形態について詳細に説明する。
本発明の一実施の形態である湛水直播装置１０は、走行機体９の後方に設けられ、湛水田に粒体を直播するための複数の直播管１６を備えて構成され、各々の直播管１６を走行機体９の幅方向に沿って配した第１の状態と、二つの直播管１６毎に近設させて配した第２の状態とに切り換え可能に構成されている。
【００１３】
まず、第１の状態について図１Ａ、図１Ｂ及び図１Ｃを用いて説明する。図１Ａは、本発明の一実施の形態である湛水直播装置１０の第１の状態の構成を左側方から模式的に示す側面図であり、図１Ｂは、本発明の一実施の形態である湛水直播装置１０の第１の状態の構成を後方から模式的に示す背面図であり、図１Ｃは、本発明の一実施の形態である湛水直播装置の搬送管及び直播管の第１の状態の構成について拡大した状態を模式的に示す斜視図である。
【００１４】
図１Ａ、図１Ｂ及び図１Ｃに例示されるように、本実施の形態において、湛水直播装置１０は、フレーム１１によって乗用管理機などの走行機体９の後方に着脱可能に設けられている。なお、本実施の形態の湛水直播装置１０は、走行機体９に着脱可能に設けられたものであるが、これに限定されず、例えば、走行機体９に一体に取り付けられる専用車としてもよい。
【００１５】
本実施の形態の湛水直播装置１０は、粒体を収容するホッパー（収容部）１２と、ホッパー１２の粒体排出側に配置され、粒体を繰り出す繰り出しロール（繰り出し部材）１３と、繰り出しロール１３に連通して配置され、粒体を搬送するためのフレキシブル管（搬送管）１４と、フレキシブル管１４の管上流側に連通して配置され、ブロア（送風機）の風をフレキシブル管１４に送風するための送風管１５と、フレキシブル管１４の管下流側に連通して配置され、ブロアの風により粒体を湛水田に直播するための直播管１６とを備えて構成されている。
【００１６】
フレーム１１の上部には、走行機体９の幅方向に沿って複数のホッパー１２が配置されている。ホッパー１２は、上述したように、粒体を収容する役目を果たしている。そして、各ホッパー１２の粒体排出側である底部には、粒体を繰り出す繰り出しロール１３が配置されている。
【００１７】
繰り出しロール１３は、上述したように、粒体をフレキシブル管１４に繰り出す役目を果たしている。具体的には、繰り出しロール１３は、図示しないモータによって回転する断面形状が星型の回転軸を有している。この回転軸は、粒体を傷つけない適度の硬度をもつゴム材や硬質合成樹脂などの素材により形成されている。そして、各繰り出しロール１３の粒体排出側には、粒体を直播管１６に搬送するためのフレキシブル管１４が着脱可能に設けられており、回転軸の回転数を調整して粒体をフレキシブル管１４に繰り出している。
【００１８】
フレキシブル管１４は、上述したように、粒体を搬送する役目を果たしている。具体的には、フレキシブル管１４は、可撓性を有する素材を用いている。なお、本実施の形態では、粒体を搬送する搬送管としてフレキシブル管を用いているが、粒体を搬送するためのものであれば、フレキシブル管に限定されず、例えば、鋼管などを用いても良い。
【００１９】
フレキシブル管１４の管上流側は、ブロア１８からの風を送風するための送風管１５に着脱可能に接続されている。送風管１５は、走行機体９の幅方向に沿って延設して配置されている。そして、送風管９には、フレキシブル管１４に接続させるための複数の接続孔が形成されている。すなわち、フレキシブル管１４は、送風管１５の複数の接続孔に接続され、ブロア１８からの風が送風管１５を介して送りこまれている。
【００２０】
ブロア１８は、図示しないスプロケット、ベルト又はチェーンなどを介して走行機体９の図示しないＰＴＯに接続する入力ミッションに接続されている。そして、ブロア１８は、ＰＴＯの回転力により回転駆動する。
【００２１】
一方、フレキシブル管１４の管下流側には、直播管１６が着脱可能に接続されている。直播管１６は、この直播管１６を正面視すると、逆Ｙ字形状をなして形成されている。また、直播管１６の下端部は、開口して形成されている。すなわち、直播管１６には、ブロア１８からの風が送風管、フレキシブル管１４を介して送られており、直播管１６は、この風により湛水田に粒体を吐出する役目を果たしている。
【００２２】
なお、本実施の形態の直播管１６の形状は、上述したように、この直播管１６を正面視すると、逆Ｙ字形状をなして形成されているが、直播管１６は、後述するように、張り出し板１７に着脱可能に設けられているため、例えば、平面視すると、傘形状をなしたものを用いても良い、これにより、粒体を湛水田に直播する際、条播、点播に限定されず、散播することも可能になる。
【００２３】
本実施の形態において、直播管１６は、フレーム１１から走行機体９の後方に張り出して配置され、フレーム１１に連結固定された張り出し板１７に着脱可能に固定されている。具体的には、張り出し板１７には、直播管１６を挿通させる孔が形成されている。すなわち、直播管１６は、この直播管１６を張り出し板１７の孔に挿通してキャップ１９により上方から固定することで、張り出し板１７に着脱可能に固定されている。
【００２４】
本実施の形態において、第１の状態では、一つのフレキシブル管１４に二つの直播管１６が接続されている。そして、直播管１６は、各々の直播管１６を走行機体９の幅方向に沿って配されている。このように、本実施の形態では、第１の状態において直播管１６が最大で１６本、走行機体９の幅方向に沿って配され、播種の作業幅を広げることが可能となっている。
【００２５】
また、本実施の形態の直播管１６は、上述したように、張り出し板１７に着脱可能に取り付けられているため、複数の直播管１６が、各々の直播管１６を走行機体９の幅方向に沿って配した第１の状態と、後述する二つの直播管１６毎に近設させて配した第２の状態とに切り換え可能に設けられている。
【００２６】
また、本実施の形態のフレキシブル管１４は、上述したように、繰り出しロール１３に着脱可能に設けられている。すなわち、フレキシブル管１４を繰り出しロール１３から取り外して、第１の状態と第２の状態とに切り換え可能に設けられている。
【００２７】
次に、第２の状態について、図２Ａ、図２Ｂ及び図２Ｃを用いて説明する。図２Ａは、本発明の一実施の形態である湛水直播装置１０の第２の状態の構成を左側方から模式的に示す側面図であり、図２Ｂは、本発明の一実施の形態である湛水直播装置１０の第２の状態の構成を後方から模式的に示す背面図であり、図２Ｃは、本発明の一実施の形態である湛水直播装置の搬送管及び直播管の第２の状態の構成について拡大して状態を模式的に示す斜視図である。
【００２８】
図２Ａ、図２Ｂ及び図２Ｃに例示されるように、第２の状態では、走行機体９の幅方向に沿って延設された平板２０が張り出し板１７に載置されている。この平板２０には、直播管１６を挿通させるための複数の孔が形成されている。この複数の孔は、直播管１６を二つの直播管１６毎に近設させる位置に形成されている。なお、この複数の孔の位置は、二つの直播管１６毎に近設させる位置に形成されていれば、特に限定されず、例えば、走行機体９の幅方向に対して、同軸上でも異軸上でもよく、更には、走行機体９の進行方向に対して、同軸上でも異軸上でも良い。
【００２９】
そして、張り出し板１７と平板２０とは、平板２０に形成された孔のうち、一つの孔と張り出し板１７に形成された孔とを重ね合わせて配置されている。この重ね合わせた孔に直播管１６を挿通させてキャップ１９により上方から固定することで、直播管１６が張り出し板１７に着脱可能に固定されている。また、他の直播管１６は、平板２０に形成された孔に挿通させてキャップ１９により上方から固定することで、平板２０に着脱可能に固定されている。
【００３０】
また、平板２０には、少なくとも二つ以上の孔（本実施の形態では、４つの孔。）が形成されており、上述したように、この平板２０の孔に直播管１６が着脱可能に設けられているため、直播する個所を適宜切り換えることができる。すなわち、二つの直播管１６毎に、走行機体９の幅方向に対して、同軸上でも異軸上でも配することが可能になる。
【００３１】
このように、本実施の形態の直播管１６は、張り出し板１７に着脱可能に取り付けられているため、直播管１６が、各々の直播管１６を走行機体９の幅方向に沿って配した第１の状態と、二つの直播管１６毎に近設させて配した第２の状態とに切り換え可能に設けられている。
【００３２】
また、本実施の形態のフレキシブル管１４は、上述したように、繰り出しロール１３に着脱可能に設けられており、フレキシブル管１４を繰り出しロール１３から取り外して、第１の状態と第２の状態とに切り換え可能に設けられている。
【００３３】
本実施の形態において、第２の状態でも、第１の状態と同様に、一つのフレキシブル管１４に二つの直播管１６が接続されている。この第２の状態では、上述したように、複数の直播管１６は、二つの直播管１６毎に近設させて配置されている。
【００３４】
そして、第２の状態では、近設させて配した二つの直播管１６のうち、一方の直播管１６ａは、フレキシブル管１４、繰り出しロール１３を介して、種子が収容されたホッパー１２に接続されている。また、他方の直播管１６ｂは、フレキシブル管１４、繰り出しロール１３を介して、肥料が収容されたホッパー１２に接続されている。
【００３５】
すなわち、第２の状態では、一方の直播管１６ａにホッパー１２から種子が送り込まれるとともに、他方の直播管１６ｂにホッパー１２から肥料が送り込まれることで、種子と肥料とを同時に直播することができる。このように、第２の状態では、二つの直播管１６毎に近設させて配されることで、種子と肥料とを同時に直播することを可能にしている。
【００３６】
このように、直播管１６が、各直播管１６を走行機体９の幅方向に沿って配した第１の状態と、二つの直播管１６毎で近設させて配した第２の状態とに切り換え可能に設けられることで、播種の作業幅を広げる場合と、播種と施肥とを同時に行う場合とに適宜容易に切り換えることができる。
【００３７】
なお、湛水直播装置１０の下方には、轍消しロール２１が設けられている。轍消しロール２１は、走行機体９に牽引されることで、回転可能に設けられている。すなわち、轍消しロール２１は、この轍消しロール２１を回転させるための動力を必要としないため、動力源を用いることなく構成されている。なお、本実施の形態の轍消しロールは、走行機体に着脱可能に設けられているが、例えば、湛水直播装置に着脱可能に設けても良い。
【００３８】
次に、本実施の形態の湛水直播装置の動作について説明する。
ホッパー１２に収容された粒体である種子又は肥料は、ホッパー１２の排出側である底部に設けられた繰り出しロール１３により調整された適量がフレキシブル管１４の中へ連続的に送り込まれる。このとき、送り込まれる量は、ブロア１８の送風速度などを考慮して繰り出しロール１３の回転軸の回転数を調整する。
【００３９】
そして、フレキシブル管１４には、ブロア１８からの風がフレキシブル管１４内に送られており、フレキシブル管１４の中に送り込まれた粒体はその風力によって、管下流側に流れていく。
【００４０】
フレキシブル管１４内を流れる粒体は、さらにフレキシブル管１４の管下流側である直播管１６に入り、直播管１６の開口部から下方に吹き出され湛水田の表面に勢いよく直播される。
【００４１】
本実施の形態において、第１の状態では、８つのホッパー１２に粒体である種子が収容されている。そして、一つのフレキシブル管１４には、二つの直播管１６が接続されているため、例えば、８本のフレキシブル管１４、すなわち、８つのホッパー１２から１６本の直播管１６に種子が搬送されている。
【００４２】
このように、本実施の形態の第１の状態によれば、複数の直播管１６が、走行機体の９の幅方向に沿って配され、一つのホッパー１２から二つの直播管１６に種子を搬送しているため、直播幅を広げることを可能にしている。
【００４３】
一方、第２の状態では、８つのホッパー１２のうち、所定の４つのホッパー１２に種子を収容し、他の４つのホッパー１２に肥料を収容する。そして、近設させて配した二つの直播管１６のうち、一方の直播管１６ａには、フレキシブル管１４、繰り出しロール１３を介して、種子が収容されたホッパー１２から種子が送り込まれ、他方の直播管１６ｂには、フレキシブル管１４、繰り出しロール１３を介して、肥料が収容されたホッパー１２から肥料が送り込まれている。
【００４４】
このように、第２の状態よれば、複数の直播管１６が、二つの直播管１６毎に近設させて配され、一方の直播管１６ａにホッパー１２から種子が送り込まれるとともに、他方の直播管１６ｂにホッパー１２から肥料が送り込まれることで、種子と肥料とを同時に直播することを可能にしている。
【００４５】
以上のように、本実施の形態によれば、第１の状態では、作業幅を広げて播種することができるとともに、第２の状態では、播種と施肥とを同時に行うことができ、これら第１の状態と第２の状態とを適宜容易に切り換えることが可能になるため、作業効率を向上させることができる。
【符号の説明】
【００４６】
９      走行機体
１０      湛水直播装置
１１      フレーム
１２      ホッパー
１３      繰り出しロール
１４      フレキシブル管
１５      送風管
１６      直播管
１７      張り出し板
１８      ブロア
１９      キャップ
２０      平板
【図１Ａ】
0005637475.tif 000002
【図１Ｂ】
0005637475.tif 000003
【図１Ｃ】
0005637475.tif 000004
【図２Ａ】
0005637475.tif 000005
【図２Ｂ】
0005637475.tif 000006
【図２Ｃ】
0005637475.tif 000007